(57)【要約】【課題】床移動型と携帯型の両方の使用性を向上できる電気掃除機を提供することを目的とする。【解決手段】吸引風を発する電動送風機２と前記電動送風機２を駆動する電池６とを有する掃除機本体１と、前記電池６を充電するための充電回路７を有する充電台８とを備え、前記充電台８は走行手段９を備えるとともに、前記掃除機本体１と前記充電台８とを着脱自在に構成してなる電気掃除機で、床移動型でも携帯型でも使用性が良い電気掃除機を提供できる。【選択図】  図１
2004223134.tif 000002
【特許請求の範囲】
【請求項１】
吸引風を発する電動送風機と前記電動送風機を駆動する電池とを有する掃除機本体と、前記電池を充電するための充電回路を有する充電台とを備え、前記充電台は走行手段を備えるとともに、前記掃除機本体と前記充電台とを着脱自在に構成してなる電気掃除機。
【請求項２】
吸引風を発する電動送風機と前記電動送風機を駆動する電池とを有する掃除機本体と、走行手段を有するとともに前記電池とは別の電池を有する台車とを備えた電気掃除機。
【請求項３】
吸引風を発する電動送風機と前記電動送風機を駆動する電池と前記電動送風機を直流電源でも交流電源でも駆動可能にする駆動回路とを有する掃除機本体と、前記電池を充電するための充電回路を有する充電台とを備え、前記充電台は走行手段を備えるとともに、前記掃除機本体と前記充電台とを着脱自在に構成してなる電気掃除機。
【請求項４】
吸引風を発する電動送風機と前記電動送風機を駆動する電池と前記電動送風機を直流電源でも交流電源でも駆動可能にする駆動回路とを有する掃除機本体と、走行手段を有するとともに前記電池とは別の電池を有する台車とを備えるとともに、前記掃除機本体と前記台車とを着脱自在に構成してなる電気掃除機。
【請求項５】
吸引風を発する電動送風機と前記電動送風機を駆動する電池と前記電動送風機を直流電源でも交流電源でも駆動可能にする駆動回路とを有する掃除機本体と、前記電池を充電するための充電回路と走行手段とを有する充電台とを備え、前記掃除機本体と前記充電台とを着脱自在に構成してなるとともに、前記交流電源を前記電動送風機とを電気的に接続する電源コードを前記充電台に設けた電気掃除機。
【請求項６】
吸引風を発する電動送風機と前記電動送風機を駆動する電池と前記電動送風機を直流電源でも交流電源でも駆動可能にする駆動回路とを有する掃除機本体と、走行手段を有するとともに前記電池とは別の電池を有する台車とを備え、前記掃除機本体と前記台車とを着脱自在に構成してなるとともに、前記交流電源を前記電動送風機とを電気的に接続する電源コードを前記台車に設けた電気掃除機。
【請求項７】
吸引風を発する電動送風機と前記電動送風機を駆動する電池と前記電動送風機を直流電源でも交流電源でも駆動可能にする駆動回路とを有する掃除機本体と、前記電池を充電するための充電回路と走行手段とを有する充電台とを備え、前記掃除機本体と前記充電台とを着脱自在に構成してなるとともに、前記交流電源を前記電動送風機とを電気的に接続する電源コードを前記充電台に収納可能な電気掃除機。
【請求項８】
吸引風を発する電動送風機と前記電動送風機を駆動する電池と前記電動送風機を直流電源でも交流電源でも駆動可能にする駆動回路とを有する掃除機本体と、走行手段を有するとともに前記電池とは別の電池を有する台車とを備え、前記掃除機本体と前記台車とを着脱自在に構成してなるとともに、前記交流電源を前記電動送風機とを電気的に接続する電源コードを前記台車に収納可能な電気掃除機。
【発明の詳細な説明】
【０００１】
【発明の属する技術分野】
本発明は、一般家庭において使用する電気掃除機に関するものである。
【０００２】
【従来の技術】
従来の電気掃除機は図３に示すものが一般的であり、以下、図面にしたがって説明する。
【０００３】
図３に示すように、掃除機本体１は吸引風を発する電動送風機２を内蔵するとともに、電動送風機２に電源を供給するニッケル水素電池６を有している。また、掃除機本体１には、走行手段である走行用の走行手段９が備えられている。また、ニッケル水素電池６を充電するための充電回路７を内蔵する充電台８に掃除機本体１を載置して、前記ニッケル水素電池６を充電するようになっている（特許文献１参照）。
【０００４】
【特許文献１】
特開２００２−１０２１２９号公報
【０００５】
【発明が解決しようとする課題】
しかしながら上記従来の充電式電気掃除機では、携帯して使用する、階段や、天井などの掃除をする際は、必要のない、走行手段の質量が負担となり、充電式掃除機のメリットである携帯性の良さを阻害していた。
【０００６】
本発明は上記課題を解決するもので、床移動型と携帯型の両方の使用性を向上できる電気掃除機を提供することを目的とする。
【０００７】
【課題を解決するための手段】
上記目的を達成するために本発明は、吸引風を発する電動送風機と前記電動送風機を駆動する電池とを有する掃除機本体と、前記電池を充電するための充電回路を有する充電台とを備え、前記充電台は走行手段を備えるとともに、前記掃除機本体と前記充電台とを着脱自在に構成してなる電気掃除機で、携帯型として使用する際は、従来、付属していた走行手段がないため、軽量化でき、非常に使い勝手が良い。さらに床移動型として使用する際は充電台を台車として使用できることで部品点数が削減でき、コストメリットも良く、床移動型でも携帯型でも使用性が良い電気掃除機を提供できる。
【０００８】
【発明の実施の形態】
本発明の請求項１記載の発明は、吸引風を発する電動送風機と前記電動送風機を駆動する電池とを有する掃除機本体と、前記電池を充電するための充電回路を有する充電台とを備え、前記充電台は走行手段を備えるとともに、前記掃除機本体と前記充電台とを着脱自在に構成してなる電気掃除機で、掃除機本体を携帯型として使用する際は、従来、付属していた走行手段がないため、軽量化でき、非常に使い勝手が良い。さらに床移動型として使用する際は充電台を台車として使用できることで部品点数が削減でき、コストメリットも良く、床移動型でも携帯型でも使用性が良い電気掃除機を提供できる。
【０００９】
本発明の請求項２記載の発明は、吸引風を発する電動送風機と前記電動送風機を駆動する電池とを有する掃除機本体と、走行手段を有するとともに前記電池とは別の電池を有する台車とを備えた電気掃除機で、床移動型として使用する際は、掃除機本体内の電池を使用した後、台車の電池を使用することで、使用時間を長くすることができる。
【００１０】
本発明の請求項３記載の発明は、吸引風を発する電動送風機と前記電動送風機を駆動する電池と前記電動送風機を直流電源でも交流電源でも駆動可能にする駆動回路とを有する掃除機本体と、前記電池を充電するための充電回路を有する充電台とを備え、前記充電台は走行手段を備えるとともに、前記掃除機本体と前記充電台とを着脱自在に構成してなる電気掃除機で、前記掃除機本体を単独で充電式で携帯型として使用する際は、従来付属していた走行手段がないため、軽量化でき、非常に使い勝手が良い。また、床移動型として使用する際も、充電式と交流式とが選択できるため、被掃除面の塵埃の多少によって使い分けができる。
【００１１】
本発明の請求項４記載の発明は、吸引風を発する電動送風機と前記電動送風機を駆動する電池と前記電動送風機を直流電源でも交流電源でも駆動可能にする駆動回路とを有する掃除機本体と、走行手段を有するとともに前記電池とは別の電池を有する台車とを備えるとともに、前記掃除機本体と前記台車とを着脱自在に構成してなる電気掃除機で、前記掃除機本体を単独で充電式で携帯型として使用する際は、従来付属していた走行手段がないため、軽量化でき、非常に使い勝手が良い。また、床移動型として使用する際も、充電式と交流式とが選択できるため、被掃除面の塵埃の多少によって使い分けができる。床移動型を充電式として使用する際は、掃除機本体内の電池を使用した後、台車の電池を使用することで、使用時間を長くすることができる。
【００１２】
本発明の請求項５記載の発明は、吸引風を発する電動送風機と前記電動送風機を駆動する電池と前記電動送風機を直流電源でも交流電源でも駆動可能にする駆動回路とを有する掃除機本体と、前記電池を充電するための充電回路と走行手段とを有する充電台とを備え、前記掃除機本体と前記充電台とを着脱自在に構成してなるとともに、前記交流電源を前記電動送風機とを電気的に接続する電源コードを前記充電台に設けた電気掃除機で、前記掃除機本体を単独で充電式で携帯型として使用する際は、従来付属していた走行手段がないため、軽量化でき、非常に使い勝手が良い。また、床移動型として使用する際も、充電式と交流式とが選択できるため、被掃除面の塵埃の多少によって使い分けができる。
【００１３】
本発明の請求項６記載の発明は、吸引風を発する電動送風機と前記電動送風機を駆動する電池と前記電動送風機を直流電源でも交流電源でも駆動可能にする駆動回路とを有する掃除機本体と、走行手段を有するとともに前記電池とは別の電池を有する台車とを備え、前記掃除機本体と前記台車とを着脱自在に構成してなるとともに、前記交流電源を前記電動送風機とを電気的に接続する電源コードを前記台車に設けた電気掃除機で、前記掃除機本体を単独で充電式で携帯型として使用する際は、従来付属していた走行手段がないため、軽量化でき、非常に使い勝手が良い。また、床移動型として使用する際も、充電式と交流式とが選択できるため、被掃除面の塵埃の多少によって使い分けができる。床移動型を充電式として使用する際は、掃除機本体内の電池を使用した後、台車の電池を使用することで、使用時間を長くすることができる。
【００１４】
本発明の請求項７記載の発明は、吸引風を発する電動送風機と前記電動送風機を駆動する電池と前記電動送風機を直流電源でも交流電源でも駆動可能にする駆動回路とを有する掃除機本体と、前記電池を充電するための充電回路と走行手段とを有する充電台とを備え、前記掃除機本体と前記充電台とを着脱自在に構成してなるとともに、前記交流電源を前記電動送風機とを電気的に接続する電源コードを前記充電台に収納可能な電気掃除機で、前記掃除機本体を単独で充電式で携帯型として使用する際は、従来付属していた走行手段がないため、軽量化でき、非常に使い勝手が良い。また、床移動型として使用する際も、充電式と交流式とが選択できるため、被掃除面の塵埃の多少によって使い分けができる。また、床移動型を充電式として使用する際には、電源コードが前記充電台に収納可能なので、使用性が良い。
【００１５】
本発明の請求項８記載の発明は、吸引風を発する電動送風機と前記電動送風機を駆動する電池と前記電動送風機を直流電源でも交流電源でも駆動可能にする駆動回路とを有する掃除機本体と、走行手段を有するとともに前記電池とは別の電池を有する台車とを備え、前記掃除機本体と前記台車とを着脱自在に構成してなるとともに、前記交流電源を前記電動送風機とを電気的に接続する電源コードを前記台車に収納可能な電気掃除機で、前記掃除機本体を単独で充電式で携帯型として使用する際は、従来付属していた走行手段がないため、軽量化でき、非常に使い勝手が良い。また、床移動型として使用する際も、充電式と交流式とが選択できるため、被掃除面の塵埃の多少によって使い分けができる。床移動型の充電式として使用する際は、掃除機本体内の電池を使用した後、台車の電池を使用することで、使用時間を長くすることができる。また、床移動型の充電式として使用する際には、電源コードが前記台車に収納可能なので、使用性が良い。
【００１６】
【実施例】
以下、本発明の一実施例を図１を用いて説明する。図１に示すように、掃除機本体１は、吸引風を発する電動送風機２と前記電動送風機２を直流電源でも交流電源でも駆動可能にする制御装置１２を内蔵している。前記掃除機本体１の一端を接続されるホース３と前記ホース３の他端に接続される延長管４と塵埃を吸引する吸込具５から構成される吸引通路を有し、掃除機本体１には電動送風機２を駆動させるための二次電池である単２形のニッケル水素電池６を備えている。
【００１７】
また、前記掃除機本体１は、ニッケル水素電池６を充電するための充電回路７を内蔵し、前記掃除機本体１を充電台８に載置することで、前記ニッケル水素電池６は充電される。さらに、前記充電台８は前記掃除機本体１の走行用の走行手段９とキャスター１０を有している。また、前記充電台８には、交流電源用の電源コード１３が設けられ内蔵されている。さらに、前記掃除機本体１と前記充電台８とは着脱自在の構成となっている。さらに、前記掃除機本体１は、電動送風機２を直流電源でも交流電源でも駆動可能にする駆動回路１２を有している。
【００１８】
上記構成による作用は、以下の通りである。
【００１９】
前記掃除機本体１を、単独で充電式携帯型として使用する際は、従来、付属していた走行手段がないため、軽量化でき、非常に使い勝手が良い。被掃除面の塵埃が特に多い場合などには、吸込性能がより向上する交流式の床移動型としても使用することができる。また、充電台８を台車として使用できることで部品点数が削減でき、低コスト化が実現できる。以上のように、床移動型でも携帯型でも使用性が良い電気掃除機を提供できる。また、充電式の床移動型として使用したときには、電源コード１３が充電台８内に収納できるため、使用性が良い。
【００２０】
また、図２において上記構成と異なるのは、台車８が補助電池１１を内蔵しているところにある。なお、台車８が有する補助電池１１を充電台は別途設けている。また、本実施例においては、ニッケル水素電池６を充電するための充電回路７を台車８が内蔵していて充電台の役割をなしているが、単に補助電池１１を内蔵しているだけで、前記ニッケル水素電池６を充電するための充電台が別途存在していてもかまわない。上記構成により、充電式の床移動型として使用する際は、掃除機本体１内のニッケル水素電池６を使用した後、台車８の電池１１を使用することで、使用時間を長くすることができる。
【００２１】
【発明の効果】
本発明によれば、床移動型と携帯型の両方の使用性を確保できる電気掃除機を提供できる。
【図面の簡単な説明】
【図１】本発明の一実施例を示す電気掃除機の全体図
【図２】同掃除機本体の側面図
【図３】従来の電気掃除機の構成図
【符号の説明】
１  掃除機本体
２  電動送風機
６  ニッケル水素電池
７  充電回路
８  充電台
９  走行手段
１１  補助電池
１２  制御装置
１３  電源コード
【図１】
2004223134.tif 000003
【図２】
2004223134.tif 000004
【図３】
2004223134.tif 000005